(57)【要約】【課題】  スチーム噴出機を内蔵し、床面へのスチーム噴出後の汚れの拭き取りを容易に効率よく行なえる電気掃除機用吸込具を提供する。【解決手段】  使用者が軟体のタンク９を足で踏むことにより、軟体のタンク９からカップリング１１、接続管１４を通ってスチーム噴出機３の蒸発室１２に水滴として滴下されスチーム化がなされる。スチーム噴出機３の蒸発室１２で発生したスチームは、スチーム噴出機の下方の床用吸込貝の底面に吸込貝の横方向に複数個・複数列配列されているスチ−ム噴出口５から、下方の布６を通って床面に噴射される。布６はスチームの噴出圧に応動して床面に押しつけられると共に、スチームによって汚れが浮き上がる。その際、布６は、浮き上がった汚れあるいはゴミに押し付けられるので、それをすぐさま、布を押し付けながら拭き取り、床面汚れの拭き残しなく、きれいに拭くことができる。【選択図】      図１
2006102052.tif 000002
【特許請求の範囲】
【請求項１】
床用吸込具内に床面に向けてスチームを噴出するスチーム噴出機を内蔵し、床面のゴミを拭き取る布などを設けたことを特徴とする電気掃除機用吸込具。
【請求項２】
床用吸込貝内に床面に向けてスチームを噴出するスチーム噴出機を内蔵し、該スチーム噴出機の下方の床用吸込貝の底面で、かつ、スチーム噴出口前にスチームの噴出圧によって応動し、床面のゴミを拭き取る通気性のある布などを設けたことを特徴とする電気掃除機用吸込具。
【請求項３】
床用吸込貝内に床面に向けてスチームを噴出するスチーム噴出機を内蔵し、該スチーム噴出機の下方の床用吸込貝の底面で、かつ、スチーム噴出機のスチーム噴出口前を除いた部分に床面のゴミを拭き取る通気性のある布などを設けたことを特徴とする電気掃除機用吸込具。
【請求項４】
前記布は通気性のある布あるいは不織布であることを特徴とする請求項１乃至請求項３記載の電気掃除機用吸込具。
【請求項５】
前記スチーム噴出口は吸込具の横方向に複数個・複数列配列されていることを特徴とする請求項１乃至請求項３記載の電気掃除機用吸込具。
【請求項６】
床用吸込具の上部に水溜め用のタンクを配置し、該タンクの水を床用吸込具内に内蔵されたスチーム噴出機のスチーム発生部に滴下させる構造とし、前記スチーム噴出機から床面に向けて噴出するスチームによって応動し、床面のゴミを拭き取る布などを設けたことを特徴とする電気掃除機用吸込具。
【請求項７】
前記スチーム発生部への水の滴下は、前記タンクに形成された弁の開閉により適量にされることを特徴とする請求項６記載の電気掃除機用吸込具。
【請求項８】
前記弁の開口は軟体のタンクの上部を人力で押圧することによりされることを特徴とする請求項７記載の電気掃除機用吸込具。
【請求項９】
前記弁の開閉は、スチーム噴出運転と連動して動作する自動弁駆動手段により、適量の水の滴下となるように、定時的になされることを特徴とする請求項７記載の電気掃除機用吸込具。
【発明の詳細な説明】
【技術分野】
【０００１】
本発明はスチームを利用する電気掃除機に用いられる電気掃除機用吸込具に関する。
【背景技術】
【０００２】
従来、スチームを利用したスチーム掃除機では、床面上の汚れをスチームによって汚れを浮かし、その後、雑巾などによって拭き取るといった方法で対応している。また、通常の吸引タイプの掃除機ではないが、ケース内の加熱容器で加熱されたスチームをフレキシブルホースでケース外に導き、被洗浄物に対向させ、フレキシブルホースの先端に設けられたスチームノズルとレバーにより、スチームを噴出、遮断するスチームクリーナーは知られている（例えば、特許文献１を参照）。
【特許文献１】実用新案登録第３０８０３６３号公報
【発明の開示】
【発明が解決しようとする課題】
【０００３】
従来のスチーム掃除機では、掃除動作がスチーム吹きつけ、その後の雑巾による拭取りというように、２つ動作が必要となり、操作が面倒であるという問題があった。そこで本発明は、床面のゴミやこびりついた汚れがある部分にスチームを噴出すると、スチームによって汚れが浮き上がり、それをすぐさま、布を押し付けながら拭き取ることにより、床面汚れの拭き残しはなくなることに着目したものであり、スチームを噴出するスチーム噴出機を内蔵する床用吸込具において、スチーム噴出後の汚れの拭き取りを容易に効率よく行なうことができる電気掃除機用吸込具を提供することを目的とする。
【課題を解決するための手段】
【０００４】
上記課題を解決するために、本発明の請求項１に係る電気掃除機用吸込具は、床用吸込具内に床面に向けてスチームを噴出するスチーム噴出機を内蔵し、床面のゴミを拭き取る布などを設けた構成とした。
【０００５】
こうして、床面のゴミやこびりついた汚れがある部分にスチームを噴出することにより、スチームによって汚れが浮き上がり、それをすぐさま、布を押し付けながら拭き取ることにより、床面汚れの拭き残しをなくすことができる。
【０００６】
本発明の請求項２に係る電気掃除機用吸込具は、床用吸込貝内に床面に向けてスチームを噴出するスチーム噴出機を内蔵し、該スチーム噴出機の下方の床用吸込貝の底面で、かつ、スチーム噴出口前にスチームの噴出圧によって応動し、床面のゴミを拭き取る通気性のある布などを設けた構成とした。
【０００７】
こうして、床面のゴミやこびりついた汚れがある部分にスチームを噴出することにより、布はスチームの噴出圧に応動して床面に押しつけられると共に、スチームによって汚れが浮き上がり、それをすぐさま、布を押し付けながら拭き取ることにより、床面汚れの拭き残しなく、きれいに拭くことができる。
【０００８】
本発明の請求項３に係る電気掃除機用吸込具は、床用吸込貝内に床面に向けてスチームを噴出するスチーム噴出機を内蔵し、該スチーム噴出機の下方の床用吸込貝の底面で、かつ、スチーム噴出機のスチーム噴出口前を除いた部分に床面のゴミを拭き取る通気性のある布などを設けた構成とした。
【０００９】
こうして、より強いスチームの噴出で床面に噴射するならば、スチーム噴出口の前は布を配置させずに、スチーム噴出口の前を除いた部分にのみ布を設けることにより、スチームの洗浄力が増して汚れの落ちは確実となり、すぐに布の部分で拭き取ることができる。
【００１０】
本発明の請求項４に係る電気掃除機用吸込具は、上記請求項１乃至請求項３に記載の電気掃除機用吸込具において、前記布は通気性のある布あるいは不織布で構成した。
【００１１】
本発明の請求項５に係る電気掃除機用吸込具は、上記請求項１乃至請求項３に記載の電気掃除機用吸込具において、前記スチーム噴出口は吸込具の横方向に複数個・複数列配列された構成とした。
【００１２】
こうして、スチーム噴出機の蒸発室で発生したスチームを、スチーム噴出機の下方の床用吸込貝の底面に吸込貝の横方向に複数個・複数列配列されているスチ−ム噴出口から、下方の布を通って床面に噴射されることにより、一度に床面を広く均一にスチーム洗浄できるので、布を押し付けながら拭き取り、床面汚れの拭き残しなく、きれいに拭くことができる。
【００１３】
本発明の請求項６に係る電気掃除機用吸込具は、床用吸込具の上部に水溜め用のタンクを配置し、該タンクの水を床用吸込具内に内蔵されたスチーム噴出機のスチーム発生部に滴下させる構造とし、前記スチーム噴出機から床面に向けて噴出するスチームによって応動し、床面のゴミを拭き取る布などを設けた構成とした。
【００１４】
本発明の請求項７に係る電気掃除機用吸込具は、床用吸込具の上部に水溜め用のタンクを配置し、該タンクの水を床用吸込具内に内蔵されたスチーム噴出機のスチーム発生部に、前記タンクに形成された弁の開閉により適量滴下させる構造とし、床面に向けてスチームを噴出することにより、応動する床面のゴミを拭き取る布などを設けた構成とした。
【００１５】
こうして、軟体のタンクの水が開閉弁を開閉させることにより、軟体のタンクからスチーム噴出機の蒸発室に適量な水滴として滴下されると、蒸発室の温度が高くなっていると、直ちにスチーム化され、蒸発室の温度が高くなっていなくても、時間とともに温度が高くなり、スチーム化が円滑に行なわれる。
【００１６】
本発明の請求項８に係る電気掃除機用吸込具は、床用吸込具の上部に水溜め用のタンクを配置し、該タンクの水を床用吸込具内に内蔵されたスチーム噴出機のスチーム発生部に、前記タンクに形成された弁の開口は軟体のタンクの上部を人力で押圧することにより適量滴下させる構造とし、床面に向けてスチームを噴出することにより、応動する床面のゴミを拭き取る布などを設けた構成とした。
【００１７】
こうして、使用者が軟体のタンクを足で踏むことにより、軟体のタンクからスチーム噴出機の蒸発室に開口量と足踏み時間に応じた水が滴下される。蒸発室の温度が高くなっていると、人為的に多めの水を供給しても直ちにスチーム化され、蒸発室の温度が高くなっていなくても、人為的に少なめの水を供給して、時間とともに温度が高くなるにしたがい、スチーム化が円滑に行なわれる。
【００１８】
本発明の請求項９に係る電気掃除機用吸込具は、床用吸込具の上部に水溜め用のタンクを配置し、該タンクの水を床用吸込具内に内蔵されたスチーム噴出機のスチーム発生部に、前記タンクに形成された弁の開閉は、スチーム噴出運転と連動して動作する自動弁駆動手段により、適量の水の滴下となるように、定時的に行ない、適量滴下させる構造とし、床面に向けてスチームを噴出することにより、応動する床面のゴミを拭き取る布などを設けた構成とした。
【００１９】
こうして、スチーム運転と連動して動作する自動弁駆動手段を設けることにより、蒸発室の温度、スチームの発生状況等を検知した信号に基づいて、開閉弁の開閉を自動制御して、適量の水の滴下が定時的になされ、効率的なスチームの発生を達成することができる。
【発明の効果】
【００２０】
以上のように、本発明の電気掃除機用吸込具は、床面のゴミやこびりついた汚れがある部分にスチームを噴出することにより、布はスチームの噴出圧に応動して床面に押しつけられると共に、スチームによって汚れが浮き上がり、それをすぐさま、布を押し付けながら拭き取ることにより、床面汚れの拭き残しなく、きれいに拭くことができ、一度の動作で容易に掃除することができる。
【００２１】
また、使用者が軟体のタンクを足で踏むことにより、軟体のタンクからスチーム噴出機の蒸発室に踏み具合に応じた水を滴下できるので、蒸発室の温度に応じて、人為的に水の供給の多少を調整でき、スチーム化が円滑に行なわれる。また、自動弁駆動手段を設けることにより、蒸発室の温度、スチームの発生状況等を検知した信号に基づいて、開閉弁の開閉を自動制御して、適量の水の滴下が定時的になされ、効率的なスチームの発生がなされ、スチームによって汚れが浮き上がり、それをすぐさま、布を押し付けながら拭き取ることにより、床面汚れの拭き残しなく、きれいに拭くことができる。
【発明を実施するための最良の形態】
【００２２】
本発明の電気掃除機用吸込具の実施形態の一例を図１〜図６を参照して説明する。図１は本発明の電気掃除機用吸込具の側面の部分断面図、図２は吸込具の上面図、図３は吸込具の底面図であり、左半分はその断面図である。図４は吸込具の前方正面図である。
【００２３】
図において、１は掃除機の吸込具、２は吸込具ケースカバー、３は鉄製のスチーム噴出機、４は電気発熱体、５はスチーム噴出口、６は拭き取り布であり、通気性のある布または不織布が用いられる。７はスポンジ材、８は断熱空間、９は軟体の材質の水タンク、１０は水タンクの栓、１１は水タンクとスチーム噴出機を結合するカップリング、１２はスチームを発生させる蒸発室である。
【００２４】
スチーム噴出機３は吸込具１の内部に配置され、スチーム噴出機３は熱伝導の良い鉄材でなり、内部にスチームを発生させる蒸発室となる空間を形成し、鉄材の一部に電気発熱体４が埋設されてあり、外部の電源により加熱される。その熱がスチーム噴出機３の全体を加熱することにより、内部の蒸発室１２に水が入っている軟体のタンク１０から滴下される水滴をスチーム化する。スチーム噴出機３のスチーム噴出口５は、図３に示すように、下方の床用吸込具の底面に向かって、吸込具の横方向に複数個・複数列配列されており、スチ−ムはスチ−ム噴出口５から、下方の布６を通って床面に噴射される。
【００２５】
次に、図１の吸込具の一部のみを図示している、図５、図６を参照して、本発明の電気掃除機用吸込具の使用態様を説明する。図５は使用していない状態の吸込具を示し、図６は使用状態の吸込具を示す。図において、図１と同一物には同じ符号を付している。１３は開閉弁、１４はカップリング１１とスチーム噴出機３の蒸発室１２を連通する接続管、１５は使用者の足である。
【００２６】
図５の使用していない状態の吸込具において、スチーム使用の掃除を行なおうとする場合は、水タンク９の栓１０を抜いてタンク内に水を満たし、床面のこびりついた汚れがある部分に吸込具を位置させる。電気発熱体４を外部の電源により加熱して、その熱がスチーム噴出機３を形成する鉄材の全体に伝わり加熱させ、内部の蒸発室１２の温度を高めさせる。
【００２７】
その状態で、図６に示すように、使用者が軟体のタンク９を足で踏むことにより、軟体のタンク９は変形し、内部の水圧により開閉弁１３がバネに抗して開口する。開閉弁１３の開口量と足踏み時間に応じた水が、軟体のタンク９からカップリング１１、接続管１４を通ってスチーム噴出機３の蒸発室１２に水滴として滴下される。蒸発室１２の温度が高くなっていると、人為的に多めの水を供給しても直ちにスチーム化され、蒸発室１２の温度が高くなっていなくても、人為的に少なめの水を供給して、時間とともに温度が高くなるにしたがい、スチーム化が円滑に行なわれる。それ故、軟体のタンク９の足踏み量はスチーム化を速やかに、かつ効率良く行なうために、蒸発室１２の温度を考慮して水を供給するようにしなければならない。
【００２８】
スチーム噴出機３の蒸発室１２で発生したスチームは、スチーム噴出機の下方の床用吸込貝の底面に吸込貝の横方向に複数個・複数列配列されているスチ−ム噴出口５（図３参照）から、下方の布６を通って床面に噴射される。スチームが床面にを吹き付けられると、布６はスチームの噴出圧に応動して床面に押しつけられると共に、スチームによって汚れが浮き上がる。その際、布６は、浮き上がった汚れあるいはゴミに押し付けられるので、それをすぐさま、布を押し付けながら拭き取り、床面汚れの拭き残しなく、きれいに拭くことができる。
【００２９】
布６は通気性のある普通の布あるいは不織布を用いることができる。以上の説明では、布６はスチーム噴出機３の下方の床用吸込貝の底面の前面に配置されてたもの（図３参照）を例に説明したが、より強いスチームの噴出で床面に噴射することを求めるならば、スチーム噴出口５の前は布を配置させずに、スチーム噴出口５の前を除いた部分にのみ布６を設け、これらの布の部分で拭き取るようにしても良い。この場合、多くの噴出口５に位置合わせした布が用意される必要がある。
【００３０】
また、水溜め用のタンクを使用者が軟体のタンク９を足で踏むことにより、タンク９からスチーム噴出機３の蒸発室１２に水滴として滴下させているが、スチーム運転と連動して動作する自動弁駆動手段（図示せず）を設けることにより、蒸発室１２の温度、スチームの発生状況等を検知した信号に基づいて開閉弁１３の開閉を自動制御して、適量の水の滴下が定時的になされるような構成を取ることもできる。これにより、状況に応じた効率的なスチームの発生を得ることができる。
【図面の簡単な説明】
【００３１】
【図１】本発明の一実施形態に係る電気掃除機用吸込具の側面の部分断面図。
【図２】電気掃除機用吸込具の上面図。
【図３】電気掃除機用吸込具の底面図。
【図４】電気掃除機用吸込具の前方正面図。
【図５】電気掃除機用吸込具の使用していない状態図。
【図６】電気掃除機用吸込具の使用状態図。
【符号の説明】
【００３２】
１            掃除機の吸込具
２            吸込具ケースカバー
３            鉄製のスチーム噴出機
４            電気発熱体
５            スチーム噴出口
６            拭き取り布
７            スポンジ材
８            断熱空間
９            軟体の水タンク
１０          水タンクの栓
１１          カップリング
１２          蒸発室
１３          開閉弁
１４          接続管
１５          使用者の足
【図１】
2006102052.tif 000003
【図２】
2006102052.tif 000004
【図３】
2006102052.tif 000005
【図４】
2006102052.tif 000006
【図５】
2006102052.tif 000007
【図６】
2006102052.tif 000008